(57)【要約】【課題】  スチール材の積層板における水穴等の口縁の切断面にも、簡易に防錆・防腐蝕処理を行った金属積層形ガスケットを提供する。【解決手段】  金属積層形ガスケットのスチール材からなる積層板２における防錆あるいは防腐蝕処理すべき口縁を持つ穴を、他の積層板１の基準穴径ｄよりも若干大きくした拡大穴として形成しておき、上記積層板２を外層に積層した状態でその外面にコーティング層４を形成し、このコーティング層４を、少なくとも上記拡大穴よりも小さい範囲まで施して、該拡大穴の口縁もそのコーティング層で被覆する。【選択図】        図１
2005256866.tif 000002
【特許請求の範囲】
【請求項１】
一部にスチール材からなる積層板を用いた金属積層形ガスケットにおいて、
該スチール材からなる積層板における防錆あるいは防腐蝕処理すべき口縁を持つ穴を、他の積層板の基準穴径よりも若干大きくした拡大穴として形成し、
上記スチール材からなる積層板を外層に積層した状態でその外面にコーティング層を形成し、このコーティング層を、少なくとも上記拡大穴よりも小さい範囲まで施して、該拡大穴の口縁もそのコーティング層で被覆した、
ことを特徴とする金属積層形ガスケット。
【請求項２】
ステンレス材からなる積層板の両面または片面に上記スチール材からなる積層板を重積した、
ことを特徴とする請求項１に記載の金属積層形ガスケット。
【請求項３】
上記拡大穴を、その全周に亘って基準穴径に対し数ｍｍの幅で大きくした、
ことを特徴とする請求項１または２に記載の金属積層形ガスケット。
【発明の詳細な説明】
【技術分野】
【０００１】
本発明は、シリンダヘッドガスケット等として適する金属積層形ガスケットに関するものである。
【背景技術】
【０００２】
従来、金属積層形シリンダヘッドガスケットとして、積層金属板の少なくとも一部にスチール材を用いたものがある。図３はその一例における水孔付近の構造を示すもので、ステンレス材からなる積層板１１と上記スチール材の積層板１２が併用され、通常は上記スチール材の表裏面に防錆のためのメッキ処理が施され、メッキ層１３が形成されている。なお、図中１４は、シールのためのコーティング層を示している。
【０００３】
しかしながら、上記スチール材の積層板１２における抜き加工された水穴１５の口縁など、錆や腐蝕が発生し易い穴の口縁における切断面１２ａについては、その面積が微小であることや処理に手数を要することなどから、防錆等のための配慮がなされていない。
しかるに、それらの切断面１２ａについても防錆等の処理を施すことが望まれている。但し、その処理のために特別の工程を増やすことは、コストの増加を伴うために避けなければならない。
【発明の開示】
【発明が解決しようとする課題】
【０００４】
本発明の基本的な技術的課題は、上記スチール材の積層板における水穴等の口縁の切断面にも、防錆・防腐蝕処理を行った金属積層形ガスケットを提供することにある。
本発明の他の技術的課題は、上記スチール材の積層板における水穴等の口縁の切断面に防錆・防腐蝕処理を行うに際し、特別の工程を付加することなくその処理を実現できるようにした金属積層形ガスケットを提供することにある。
【課題を解決するための手段】
【０００５】
上記課題を解決するための本発明の金属積層形ガスケットは、一部にスチール材からなる積層板を用いた金属積層形ガスケットにおいて、該スチール材からなる積層板における防錆あるいは防腐蝕処理すべき口縁を持つ穴を、他の積層板の基準穴径よりも若干大きくした拡大穴として形成し、上記スチール材からなる積層板を外層に積層した状態でその外面にコーティング層を形成し、このコーティング層を、少なくとも上記拡大穴よりも小さい範囲まで施して、該拡大穴の口縁もそのコーティング層で被覆したことを特徴とするものである。
【０００６】
上記本発明の金属積層形ガスケットにおいては、ステンレス材からなる積層板の両面または片面に上記スチール材からなる積層板を重積することができる。
また、本発明の好ましい実施形態においては、上記拡大穴が、その全周に亘って基準穴径に対し数ｍｍの幅で大きく形成される。
【０００７】
上記構成を有する金属積層形ガスケットは、スチール材からなる積層板における防錆あるいは防腐蝕処理すべき穴を、他の積層板の基準穴径よりも大きい拡大穴とし、スチール材からなる積層板の外面にコーティング層を形成するに際し、該拡大穴よりも小さい範囲に該コーティング層を施すので、このコーティングに伴って上記拡大穴の口縁の切断面にもコーティングが施されることになり、それによって該切断面に防錆・防腐蝕処理が施される。
【発明の効果】
【０００８】
以上に詳述した本発明の金属積層形ガスケットによれば、上記スチール材の積層板における水穴等の口縁の切断面に防錆・防腐蝕処理を行うに際し、特別の工程を付加することなくその処理を実現でき、簡易に上記切断面の防錆・防腐蝕処理を行うことができる。
【発明を実施するための最良の形態】
【０００９】
以下に、本発明の実施の形態を、図面を参照して詳細に説明する。
図１は、本発明に係る金属積層形ガスケットを、内燃機関におけるシリンダブロックとシリンダヘッドとの間に介装するシリンダヘッドガスケットとした第１実施例の水穴近辺の構造を示している。
この金属積層形ガスケットは、ステンレス材からなる積層板１上に、表裏面に防錆のためのメッキ処理を施すことによりメッキ層３を形成したスチール材の積層板２を積層することにより構成され、これらの積層板１，２には、シリンダブロックの燃焼室に対応する燃焼室孔（図示省略）ばかりでなく、水穴や油穴等が設けられるが、ここでは水穴５のみを示している。
【００１０】
上記ガスケットにおいては、スチール材からなる積層板２における抜き加工した穴で、防錆あるいは防腐蝕処理すべき切断面２ａを持つ水穴５の口縁を、ステンレス材の積層板１における基準穴径ｄよりも若干大きくした拡大穴として形成し、上記スチール材からなる積層板２を外層に積層した状態で、その外面にシールのためのコーティング層４を形成し、このコーティング層４を、少なくとも上記拡大穴の径よりも小さい範囲まで施して、該拡大穴の口縁の切断面２ａもそのコーティング層４で被覆している。
【００１１】
従って、上記切断面２ａにコーティング層４を施す特別の工程を付加することなく、スチール材からなる積層板２の外面にコーティング層４を形成するに際して、上記拡大穴よりも小さい範囲に該コーティング層４を施すだけで、このコーティングに伴って該拡大穴の口縁の切断面２ａにもコーティング層が施され、該切断面にも防錆・防腐蝕処理を施すことができる。
【００１２】
上記金属積層形ガスケットにおいては、上記積層板２の拡大穴を、その全周に亘って基準穴径に対して数ｍｍ、具体的には２〜３ｍｍ程度の幅で大きく形成するのが望ましい。また、上記積層板には、必要に応じて、各種孔の周囲等にビードを設けることもできる。
なお、ここでは、シリンダヘッドガスケットの水穴５の口縁の切断面２ａをコーティング層４で被覆する場合について説明したが、防錆・防腐蝕処理を施す必要があるその他の穴に対しても本発明を適用することができる。
【００１３】
上記図１に示す第１実施例の金属積層形ガスケットは、ステンレス材からなる積層板１とスチール材からなる積層板２との２枚を積層したものであるが、本発明は、一部にスチール材からなる積層板２を用いた金属積層形ガスケットに適用することができ、具体的には、図１のような例に限らず、例えば、図２に例示するような、ステンレス材からなる積層板１の両面に上記スチール材からなる積層板２，６を重積した金属積層形ガスケット等にも適用することができる。
【００１４】
図２に示す第２実施例の金属積層形ガスケットは、第１実施例と同様に、内燃機関におけるシリンダヘッドガスケットとした例の水穴近辺の構造を示し、この金属積層形ガスケットは、ステンレス材からなる積層板１の表裏面に、それぞれ表裏面に防錆のためのメッキ層３，７をそれぞれ形成したスチール材の積層板２，６を積層することにより構成している。
【００１５】
そして、上記ガスケットにおいては、スチール材からなる積層板２，６における抜き加工した穴で、防錆あるいは防腐蝕処理すべき切断面２ａ，６ａを持つ水穴５の口縁を、ステンレス材の積層板１における基準穴径ｄよりも若干大きくした拡大穴として形成し、上記スチール材からなる積層板２，６を積層板１の表裏外層に積層した状態で、その外面にシールのためのコーティング層４，８を形成し、このコーティング層４，８を、少なくとも上記拡大穴の径よりも小さい範囲まで施して、該拡大穴の口縁の切断面２ａ，６ａもそのコーティング層４，８で被覆している。
ここで、上記図２に示した金属積層形ガスケットのその他の構成及び作用は、実質的に図１で説明した金属積層形ガスケットと同一であるから、同一部分または相当部分に同一符号を付して、それらの説明を省略する。
【図面の簡単な説明】
【００１６】
【図１】本発明に係る金属積層形ガスケットの第１実施例の構成を示す要部拡大断面図である。
【図２】同第２実施例の要部拡大断面図である。
【図３】従来の金属積層形ガスケットの要部拡大断面図である。
【符号の説明】
【００１７】
１    積層板（ステンレス材）
２，６    積層板（スチール材）
２ａ，６ａ    切断面
４，８    コーティング層
５    水穴
【図１】
2005256866.tif 000003
【図２】
2005256866.tif 000004
【図３】
2005256866.tif 000005